(57)【要約】【課題】枠体に脚体を強固に連結できる脚固定構造を提供する。【解決手段】天板を下方から支持する複数の桟50，50と、隣り合う桟50，50の端部50ａ，50ａ同士を平面視傾斜状に連結する連結部材51と、を備えた枠体５に、脚体１を固定するための脚固定構造に於て、脚体１は、上端面１ａに凹設される有底円形孔11と、有底円形孔11に連通する水平状の横孔12と、を有し、有底円形孔11に挿入されると共にラジアル方向にネジ孔を有する短寸丸棒２と、横孔12に挿通してネジ孔に螺着すると共に連結部材51を貫通するボルト杆３と、脚体１の側面１ｄ，１ｄを隣り合う桟50，50の端面50ｄ，50ｄに当接させつつ脚体１を連結部材51に引き寄せるようにボルト杆３に螺着するナット部材７と、を備える。【選択図】図２
2014184016.tif 000002
【特許請求の範囲】
【請求項１】
天板（６）を下方から支持する複数の桟（50）（50）と、隣り合う該桟（50）（50）の端部（50ａ）（50ａ）同士を平面視傾斜状に連結する連結部材（51）と、を備えた枠体（５）に、脚体（１）を固定するための脚固定構造に於て、
上記脚体（１）は、上端面（１ａ）に凹設される有底円形孔（11）と、該有底円形孔（11）に連通する水平状の横孔（12）と、を有し、
上記有底円形孔（11）に挿入されると共にラジアル方向にネジ孔（22）を有する短寸丸棒（２）と、上記横孔（12）に挿通して上記ネジ孔（22）に螺着すると共に上記連結部材（51）を貫通するボルト杆（３）と、上記脚体（１）の側面（１ｄ）（１ｄ）を上記隣り合う桟（50）（50）の端面（50ｄ）（50ｄ）に当接させつつ上記脚体（１）を上記連結部材（51）に引き寄せるように上記ボルト杆（３）に螺着するナット部材（７）と、を備えたことを特徴とする脚固定構造。
【発明の詳細な説明】
【技術分野】
【０００１】
本発明は、脚固定構造に関する。
【背景技術】
【０００２】
従来、机やテーブル等家具の脚固定構造は、天板を下方から支持する複数の桟と、隣り合う桟の端部同士を平面視傾斜状に連結する連結部材と、を有する枠体に、脚体を固定していた。具体的には、枠体の連結部材に挿通させたボルトを、脚体に形成した水平状ネジ孔に螺着させて固定していた（例えば、特許文献１参照）。
【先行技術文献】
【特許文献】
【０００３】
【特許文献１】実用新案登録第２５５９６３６号
【発明の概要】
【発明が解決しようとする課題】
【０００４】
しかし、脚体の水平状ネジ孔は、円筒状のナット部材を水平方向から圧入して形成していたため、強度が不十分であった。例えば、ボルト部材で強く螺着しようとすると、上記ナット部材が共廻りする場合や、ズボッと抜け出る場合があり、組立不具合品が発生するといった問題があった。また、抜けや共廻りを防止する接着剤等を充填すると、充填作業の手間や乾燥待ち時間がかかり作業効率が悪いといった問題があった。
【０００５】
そこで、本発明は、枠体に脚体を強固に連結できる脚固定構造の提供を目的とする。また、容易かつ迅速に、作業効率良く脚体を固着できる脚固定構造の提供をさらなる目的とする。
【課題を解決するための手段】
【０００６】
上記目的を達成するために、本発明の脚固定構造は、天板を下方から支持する複数の桟と、隣り合う該桟の端部同士を平面視傾斜状に連結する連結部材と、を備えた枠体に、脚体を固定するための脚固定構造に於て、上記脚体は、上端面に凹設される有底円形孔と、該有底円形孔に連通する水平状の横孔と、を有し、上記有底円形孔に挿入されると共にラジアル方向にネジ孔を有する短寸丸棒と、上記横孔に挿通して上記ネジ孔に螺着すると共に上記連結部材を貫通するボルト杆と、上記脚体の側面を上記隣り合う桟の端面に当接させつつ上記脚体を上記連結部材に引き寄せるように上記ボルト杆に螺着するナット部材と、を備えた構造である。
【発明の効果】
【０００７】
本発明によれば、枠体に脚体を強力に固定保持できて、脚体がグラツキを生じたり、離脱することがない。しかも、容易かつ迅速に脚体の固着作業を行い得る。
【図面の簡単な説明】
【０００８】
【図１】本発明の実施の一形態の固定前状態を示す斜視図である。
【図２】固定前状態を示す要部平面図である。
【図３】要部分解斜視図である。
【図４】固定完了状態を示す断面平面図である。
【発明を実施するための形態】
【０００９】
以下、図示の実施形態に基づき本発明を詳説する。
本発明に係る脚固定構造は、図１に示すように、天板６を下方から支持する複数の桟50，50を有する枠体５に、脚体１を固定するための構造であって、例えば、事務机や各種机、ダイニングテーブル、会議用テーブル等の（木製の）家具に適用される。
【００１０】
図１及び図２に示すように、枠体５は、矩形状の外枠を形成する複数の木製の桟（外桟）50と、長手方向が交差するように隣り合う桟50，50の端部50ａ，50ａ同士を平面視で傾斜状に連結する連結部材51と、を有している。なお、図２に於て、天板６は図示省略している。
【００１１】
連結部材51は、一端部51ａが一方の桟50（50Ａ）の端部50ａに固着され、他端部51ｂが他方の桟（50Ｂ）の端部50ａに固着され、中間部に脚取付用の水平状の貫孔51ｅを上下に所定の間隔をもって２つ（複数）有している。
そして、隣り合う桟50，50同士は、90°を成すように配設されるが、直接接触しておらず、隣り合う桟50，50の端面50ｄ，50ｄと連結部材51の外面51ｄに接する空間を、脚体１の上端部が配設可能な脚体取付空間５ｄとしている。上記端面50ｄは、桟50の長手方向に直交する平面（直交状切断面）を成している。
【００１２】
図２及び図３に示すように、木製の脚体１には、上端面１ａの中央部に鉛直状に凹設される有底円形孔11と、有底円形孔11に連通する水平状の横孔12と、を有している。
横孔12は、脚体１の１つの稜線（長手方向に沿った一縁部）１ｅの上端部を面取り加工して形成した平面13に、上下に所定の間隔をもって２つ（複数）設けている。
【００１３】
そして、脚体１の有底円形孔11に挿入される金属製の短寸丸棒２を備えている。
短寸丸棒２は、ラジアル方向に貫通するネジ孔22を、上下に所定の間隔をもって２つ（複数）有している。また、上端面２ａに位置合わせ用のスリット（凹溝）21を凹設している。スリット21のスリット軸心Ｌ21方向と、ネジ孔22のネジ軸心Ｌ22方向と、を一致させている。つまり、平面視で、スリット軸心Ｌ21とネジ軸心Ｌ22が一致するように設けている。
【００１４】
短寸丸棒２の棒直径寸法は、有底円形孔11の孔直径寸法よりも小さく設定している。つまり、短寸丸棒２を圧入せずに有底円形孔11へ挿入可能であり、挿入後に鉛直状軸心廻りに回転可能としている。
また、有底円形孔11の底部の当り面11ｂから横孔12の軸心までの上下方向寸法と、短寸丸棒２の下端面２ｂからネジ孔22の軸心Ｌ22までの上下方向寸法と、を一致させている。
【００１５】
なお、短寸丸棒２の「短寸」とは、棒長さ寸法が棒直径寸法の３倍以上２０倍以下を言う。３倍未満であると、ネジ孔22を十分な強度をもった大きさで複数形成することが困難となる。２０倍を越えると、脚体１の有底円形孔11が深くなって加工に手間と時間がかかる。特に、短寸丸棒２の棒長さ寸法は、棒直径寸法の４倍以上１０倍以下が加工及び組立がより容易で望ましい。
【００１６】
また、脚体１の横孔12に挿入可能、かつ、短寸丸棒２のネジ孔22に螺着可能な、金属製のボルト杆（全ねじ棒）３を備えている。
ボルト杆３は、一端面３ａに、マイナスドライバ等の工具を差し込んで、ボルト杆３を螺進退させるための螺着用のスリット（凹溝）31を凹設している。なお、スリット31は、ボルト杆３の両端面に凹設しても良い。また、ボルト杆３のスリット31は、短寸丸棒２のスリット21と、スリット幅を同等に形成し、同じ工具を使用可能とするのが望ましい。
【００１７】
ここで、脚体１を枠体５へ固定する組立工程と合わせて、構造及び作用を説明する。
先ず、脚体１の有底円形孔11へ短寸丸棒２を鉛直方向に落とし込むように挿入する。つまり、ハンマ等で短寸丸棒２を打ち込む（圧入する）必要がなく、圧入作業の手間や時間を削減する。
【００１８】
有底円形孔11に挿入された短寸丸棒２のスリット21にマイナスドライバ等の工具を差し込んで、スリット軸心Ｌ21方向と、脚体１の横孔12の開口方向（孔軸心方向）を一致させる。すると、短寸丸棒２のネジ孔22と脚体１の横孔12が連通状態（同心状）となる。組立作業者が、横孔12から短寸丸棒２を覗き込んでネジ孔22の位置合わせを行う手間や時間を削減している。
【００１９】
そして、ボルト杆３を横孔12に挿通して、ボルト杆３のスリット31にマイナスドライバ等の工具を差し込んで、ネジ孔22に螺着し、脚体１の面取り状の上記平面13から２本のボルト杆３が水平状に突設された脚構造体Ｙを作成する。
【００２０】
図２に示すように、脚体１（脚構造体Ｙ）の上端部を、枠体５の脚体取付空間５ｄに接近させ、脚体１の平面13と、連結部材51の外面（一面）51ｄと、を対面状に配設する。
【００２１】
図４に示すように、ボルト杆３の一端部（突出先端部）を、連結部材51の貫孔51ｅに挿通させる。連結部材51を貫通したボルト杆３の一端部に、（枠体５の内側から、）ワッシャー９、バネ座金８を順次挿通させた後、ナット部材７を螺着し、スパナ等の工具で、連結部材51の内面（他面）51ｆへ締め付ける。この際、ボルト杆３のスリット31に工具を差し込んで、ボルト杆３の共廻りを防止しても良い。
【００２２】
ナット部材７の回転によってボルト杆３を（枠体５の内側へ）引き込んで、脚体１を連結部材51に引き寄せ、脚体１の平面13に隣接する側面１ｄ，１ｄと、隣り合う桟50，50の端面50ｄ，50ｄとを当接させつつ螺着する。また、脚体１の平面13と連結部材51の外面51ｄとの間には微小間隙を残すのが良い。
【００２３】
つまり、ボルト杆３をネジ（螺進）作用による強い力で引き寄せて、短寸丸棒２の外周面を、有底円形孔11の内周面に圧接させて脚体１を引き寄せ、さらに、脚体１の側面１ｄ，１ｄと、隣り合う桟50，50の端面50ｄ，50ｄとを圧接させ、強い引き込み力をもって、枠体５に脚体１を固定する。短寸丸棒２は水平方向に強く引き寄せられても抜けず、また、螺着の際に有底円形孔11内で安定姿勢を保ち、容易かつ確実に螺着引き寄せ作業が行われる。短寸丸棒２が脚体１の中央内部にて、ボルト杆３からの引っ張り方向と直交する方向に挿入されているため、強い力で締め付け作業を行っても、力を受けることができる（抜けを防止できる）と共に、木の割れやヒビを防止できる。
【００２４】
なお、本発明は、設計変更可能であって、連結部材51は、木製に限らず、プレス加工等によって形成した金属製の板状部材、樹脂（硬質樹脂）製等自由である。短寸丸棒２のネジ孔22は止まり孔（非貫通）でも良い。また、脚体１の横断面形状は矩形状に限らず多角形状や扇型や円形等自由である。また、枠体５の平面視形状は矩形状に限らず、多角形状等自由である。
【００２５】
以上のように本発明の脚固定構造は、天板６を下方から支持する複数の桟50，50と、隣り合う桟50，50の端部50ａ，50ａ同士を平面視傾斜状に連結する連結部材51と、を備えた枠体５に、脚体１を固定するための脚固定構造に於て、脚体１は、上端面１ａに凹設される有底円形孔11と、有底円形孔11に連通する水平状の横孔12と、を有し、有底円形孔11に挿入されると共にラジアル方向にネジ孔22を有する短寸丸棒２と、横孔12に挿通してネジ孔22に螺着すると共に連結部材51を貫通するボルト杆３と、上記脚体１の側面１ｄ，１ｄを隣り合う桟50，50の端面50ｄ，50ｄに当接させつつ脚体１を連結部材51に引き寄せるようにボルト杆３に螺着するナット部材７と、を備えた構造であるので、脚体１に挿入した短寸丸棒２に、ボルト杆３を螺着させれば、短寸丸棒２の抜けが防止されるため、脚構造体Ｙを、自由な姿勢にでき、組立作業が容易である。また、ボルト杆３やナット部材７の螺着の際に、短寸丸棒２が有底円形孔11内にて安定姿勢に保たれているので、容易かつ迅速に固定できると共に、熟練した技量がなくとも、強い締め付け力で確実に螺着でき、組立不具合品の発生を防止できる。短寸丸棒２が挿入されている方向と直交する方向に引っ張り力を付与して固定する構造であるため、強い力で締め付け作業を行うことができる。
【符号の説明】
【００２６】
１  脚体
１ａ  上端面
１ｄ  側面
２  短寸丸棒
３  ボルト杆
５  枠体
６  天板
７  ナット部材
11  有底円形孔
12  横孔
22  ネジ孔
50  桟
50ａ  端部
50ｄ  端面
51  連結部材
【図１】
2014184016.tif 000003
【図２】
2014184016.tif 000004
【図３】
2014184016.tif 000005
【図４】
2014184016.tif 000006